(57)【要約】      （修正有）【課題】センサによる計測結果を収集し、収集した計測結果に基づいて管理対象を管理可能な管理システムにおいて、管理対象の管理のためのより有用な情報を取得することが可能な管理装置、管理方法および管理プログラムを提供する。【解決手段】基地局１０１は、管理対象に関する計測を行なうセンサから計測結果を示すセンサ情報を取得し、管理装置１１２へ送信する。管理装置の取得部（受信部）２１は、基地局から送信されたセンサ情報を受信し、情報作成部２２へ出力する。情報作成部は取得部により取得されたセンサ情報に基づいて管理対象を管理するための管理情報を作成する。操作情報管理部２３は、提示部２４により提示される管理情報の内容に関するユーザの操作に基づく操作情報を取得し、取得した操作情報を蓄積装置１１１に保存する処理を行う。提示部２４は、操作情報管理部から受けた情報に基づいて、管理情報の一部または全部を画面に表示する。【選択図】図３
2015219734.tif 000002
【特許請求の範囲】
【請求項１】
管理対象に関する計測を行なうセンサから計測結果を示すセンサ情報を取得する取得部と、
前記取得部により取得された前記センサ情報に基づいて作成される前記管理対象を管理するための管理情報の一部または全部を提示する提示部と、
前記提示部により提示される前記管理情報の内容に関するユーザの操作に基づく操作情報を取得し、取得した前記操作情報を保存する処理を行う操作情報管理部とを備える、管理装置。
【請求項２】
前記取得部は、複数種類の前記センサ情報を取得し、
前記提示部は、複数の前記種類の中から１または複数の前記種類が選択されると、選択された前記種類の前記センサ情報を提示し、
前記操作情報管理部は、選択された前記種類を示す情報を前記操作情報として取得する、請求項１に記載の管理装置。
【請求項３】
前記提示部は、前記センサ情報に関する設定が行われると、前記管理情報として、前記センサ情報および前記設定の内容を提示し、
前記操作情報管理部は、前記設定が行われた前記センサ情報の種類および前記設定の内容を示す情報を前記操作情報として取得する、請求項１または請求項２に記載の管理装置。
【請求項４】
前記取得部は、複数種類の前記センサ情報を取得し、
前記提示部は、複数の前記種類の中から選択された種類の前記センサ情報と、前記管理対象に関する情報であって前記センサ情報の各前記種類とは異なる種類の情報である複数種類の管理対象情報、の中から選択された種類の前記管理対象情報とを並行して提示可能であり、
前記操作情報管理部は、前記提示部により並行して提示される前記センサ情報の種類および前記管理対象情報の種類を前記操作情報として取得する、請求項１から請求項３のいずれか１項に記載の管理装置。
【請求項５】
前記提示部は、前記操作情報管理部により保存された前記操作情報に基づく前記管理情報の一部または全部を提示する、請求項１から請求項４のいずれか１項に記載の管理装置。
【請求項６】
管理装置における管理方法であって、
管理対象に関する計測を行なうセンサから計測結果を示すセンサ情報を取得するステップと、
取得した前記センサ情報に基づいて作成される前記管理対象を管理するための管理情報の提示内容に関する前記ユーザの操作に基づく操作情報を取得するステップと、
取得した前記操作情報を保存する処理を行うステップとを含む、管理方法。
【請求項７】
管理装置において用いられる管理プログラムであって、コンピュータに、
管理対象に関する計測を行なうセンサから計測結果を示すセンサ情報を取得するステップと、
取得した前記センサ情報に基づいて作成される前記管理対象を管理するための管理情報の提示内容に関する前記ユーザの操作に基づく操作情報を取得するステップと、
取得した前記操作情報を保存する処理を行うステップとを実行させるための、管理プログラム。
【発明の詳細な説明】
【技術分野】
【０００１】
本発明は、管理装置、管理方法および管理プログラムに関し、特に、管理対象に関する計測結果を示す情報の管理を行う管理装置、管理方法および管理プログラムに関する。
【背景技術】
【０００２】
無線端末装置が通信可能なエリアであるセルを形成する無線基地局装置による通信サービスが提供されており、このような通信サービス等を利用したシステムとして、Ｍ２Ｍ（Ｍａｃｈｉｎｅ  ｔｏ  Ｍａｃｈｉｎｅ）システムが知られている。Ｍ２Ｍシステムでは、たとえば、無線機を搭載した機器同士が人間を介在せずに相互に情報をやり取りすることにより、自動的に機器の制御が行われる。
【０００３】
Ｍ２Ｍシステムの一例として、たとえば、特許文献１（特許第４２３７１３４号公報）には、以下のような技術が開示されている。すなわち、無線端末と、当該無線端末との無線通信が可能なゲートウェイノードと、無線端末の位置情報を保持する位置情報記憶装置とを有する移動体通信ネットワークと、上記無線端末からのメッセージ送信先である端末が接続される他のネットワークとがゲートウェイを介して接続されてなるネットワークシステムである。当該ネットワークシステムは、上記無線端末ごとに予め定めた送信先である上記端末のアドレスを保持する端末アドレス保持手段を有する。上記無線端末から上記端末へメッセージを送信する際には、上記ゲートウェイノードは、上記無線端末より無線フレームを受信すると、上記端末アドレス保持手段にアクセスして、無線端末ごとにメッセージの送信先の端末アドレスを特定し、当該特定した送信先の端末宛に上記ゲートウェイを介してメッセージを送信する。上記端末より上記無線端末へメッセージを送信する際には、上記ゲートウェイは、上記位置情報記憶装置にアクセスし、上記無線端末のＩＤから位置情報を取得し、当該取得した位置情報から該当するゲートウェイノードへメッセージを転送する。当該ゲートウェイノードは、上記無線端末へ上記メッセージを転送する。
【先行技術文献】
【特許文献】
【０００４】
【特許文献１】特許第４２３７１３４号公報
【発明の概要】
【発明が解決しようとする課題】
【０００５】
このようなＭ２Ｍシステムの１つの利用形態として、管理対象に関する計測結果を無線伝送することが可能な１または複数の通信子機を設置し、センサによる計測結果を、通信子機を介して基地局において収集し、収集した計測結果に基づいて管理対象を管理する管理システムが考えられる。
【０００６】
このような管理システムにおいて、管理対象の管理のためのより有用な情報を取得可能とする技術が望まれる。
【０００７】
この発明は、上述の課題を解決するためになされたもので、その目的は、センサによる計測結果を収集し、収集した計測結果に基づいて管理対象を管理可能な管理システムにおいて、管理対象の管理のためのより有用な情報を取得することが可能な管理装置、管理方法および管理プログラムを提供することである。
【課題を解決するための手段】
【０００８】
（１）上記課題を解決するために、この発明のある局面に係わる管理装置は、管理対象に関する計測を行なうセンサから計測結果を示すセンサ情報を取得する取得部と、前記取得部により取得された前記センサ情報に基づいて作成される前記管理対象を管理するための管理情報の一部または全部を提示する提示部と、前記提示部により提示される前記管理情報の内容に関するユーザの操作に基づく操作情報を取得し、取得した前記操作情報を保存する処理を行う操作情報管理部とを備える。
【０００９】
（６）上記課題を解決するために、この発明のある局面に係わる管理方法は、管理装置における管理方法であって、管理対象に関する計測を行なうセンサから計測結果を示すセンサ情報を取得するステップと、取得した前記センサ情報に基づいて作成される前記管理対象を管理するための管理情報の提示内容に関する前記ユーザの操作に基づく操作情報を取得するステップと、取得した前記操作情報を保存する処理を行うステップとを含む。
【００１０】
（７）上記課題を解決するために、この発明のある局面に係わる管理プログラムは、管理装置において用いられる管理プログラムであって、コンピュータに、管理対象に関する計測を行なうセンサから計測結果を示すセンサ情報を取得するステップと、取得した前記センサ情報に基づいて作成される前記管理対象を管理するための管理情報の提示内容に関する前記ユーザの操作に基づく操作情報を取得するステップと、取得した前記操作情報を保存する処理を行うステップとを実行させるためのプログラムである。
【００１１】
本発明は、このような特徴的な処理部を備える管理装置として実現できるだけでなく、管理装置の一部または全部を実現する半導体集積回路として実現したり、管理装置を含むシステムとして実現したりすることができる。
【発明の効果】
【００１２】
本発明によれば、センサによる計測結果を収集し、収集した計測結果に基づいて管理対象を管理可能な管理システムにおいて、管理対象の管理のためのより有用な情報を取得することができる。
【図面の簡単な説明】
【００１３】
【図１】図１は、本発明の実施の形態に係る管理システムの構成を示す図である。
【図２】図２は、本発明の実施の形態に係る管理システムにおける通信子機の構成を示す図である。
【図３】図３は、本発明の実施の形態に係る管理システムにおける管理装置の構成を示す図である。
【図４】図４は、本発明の実施の形態に係る管理システムによる動作の流れを示すシーケンス図である。
【図５】図５は、本発明の実施の形態に係る管理システムにおける蓄積装置に蓄積される操作情報の一例（その１）を説明するための図である。
【図６】図６は、本発明の実施の形態に係る管理システムにおける蓄積装置に蓄積される操作情報の一例（その２）を説明するための図である。
【図７】図７は、本発明の実施の形態に係る管理システムにおける蓄積装置に蓄積される操作情報の一例（その３）を説明するための図である。
【図８】図８は、本発明の実施の形態に係る管理システムの変形例における管理装置の構成を示す図である。
【図９】図９は、本発明の実施の形態に係る管理システムの変形例による動作の流れを示すシーケンス図である。
【発明を実施するための形態】
【００１４】
最初に、本発明の実施形態の内容を列記して説明する。
【００１５】
（１）本発明の実施の形態に係る管理装置は、管理対象に関する計測を行なうセンサから計測結果を示すセンサ情報を取得する取得部と、前記取得部により取得された前記センサ情報に基づいて作成される前記管理対象を管理するための管理情報の一部または全部を提示する提示部と、前記提示部により提示される前記管理情報の内容に関するユーザの操作に基づく操作情報を取得し、取得した前記操作情報を保存する処理を行う操作情報管理部とを備える。
【００１６】
このような構成により、保存された操作情報を確認することで、たとえば、提示される内容に関するユーザの要望、すなわちユーザが希望する内容を正確に把握することができる。その結果、ユーザによる管理情報の利用傾向などを把握し、把握した利用傾向などを管理システムへの改良などに用いることで、ユーザの要望に応じたより利便性の高い情報を管理情報として提供することができる。したがって、センサによる計測結果を収集し、収集した計測結果に基づいて管理対象を管理可能な管理システムにおいて、管理対象の管理のためのより有用な情報を取得することができる。
【００１７】
（２）好ましくは、前記取得部は、複数種類の前記センサ情報を取得し、前記提示部は、複数の前記種類の中から１または複数の前記種類が選択されると、選択された前記種類の前記センサ情報を提示し、前記操作情報管理部は、選択された前記種類を示す情報を前記操作情報として取得する。
【００１８】
このような構成により、保存された操作情報を確認することで、ユーザが高い頻度で提示を要求しているセンサ情報の種類を把握することができるため、当該種類に特化した見やすい表示で提示を行うなど、ユーザにとって一層利便性の高い情報を提供することができる。
【００１９】
（３）好ましくは、前記提示部は、前記センサ情報に関する設定が行われると、前記管理情報として、前記センサ情報および前記設定の内容を提示し、前記操作情報管理部は、前記設定が行われた前記センサ情報の種類および前記設定の内容を示す情報を前記操作情報として取得する。
【００２０】
このような構成により、保存された操作情報を確認することで、ユーザによって以前設定されて提示された内容を把握し、たとえば、当該内容を再び設定して提示することができる。
【００２１】
（４）好ましくは、前記取得部は、複数種類の前記センサ情報を取得し、前記提示部は、複数の前記種類の中から選択された種類の前記センサ情報と、前記管理対象に関する情報であって前記センサ情報の各前記種類とは異なる種類の情報である複数種類の管理対象情報、の中から選択された種類の前記管理対象情報とを並行して提示可能であり、前記操作情報管理部は、前記提示部により並行して提示される前記センサ情報の種類および前記管理対象情報の種類を前記操作情報として取得する。
【００２２】
このような構成により、保存された操作情報を確認することで、ユーザが並行して提示されることを希望している異なる種類の情報の組合せを把握することができるため、たとえば、これらの情報の相関を解析してユーザに提示するなど、ユーザにとって一層利便性の高い情報を提供することができる。
【００２３】
（５）前記提示部は、前記操作情報管理部により保存された前記操作情報に基づく前記管理情報の一部または全部を提示する。
【００２４】
このような構成により、新たに取得された操作情報に加えて、さらに、保存されている操作情報すなわちユーザによる過去の管理情報の利用傾向などを示す情報に基づいた内容の管理情報を提示することができるため、ユーザによる管理情報の利用傾向などに一層適合した情報を提供することができる。
【００２５】
（６）本発明の実施の形態に係る管理方法は、管理装置における管理方法であって、管理対象に関する計測を行なうセンサから計測結果を示すセンサ情報を取得するステップと、取得した前記センサ情報に基づいて作成される前記管理対象を管理するための管理情報の提示内容に関する前記ユーザの操作に基づく操作情報を取得するステップと、取得した前記操作情報を保存する処理を行うステップとを含む。
【００２６】
これにより、保存された操作情報を確認することで、たとえば、提示される内容に関するユーザの要望、すなわちユーザが希望する内容を正確に把握することができる。その結果、ユーザによる管理情報の利用傾向などを把握し、把握した利用傾向などを管理システムへの改良などに用いることで、ユーザの要望に応じたより利便性の高い情報を管理情報として提供することができる。したがって、センサによる計測結果を収集し、収集した計測結果に基づいて管理対象を管理可能な管理システムにおいて、管理対象の管理のためのより有用な情報を取得することができる。
【００２７】
（７）本発明の実施の形態に係る管理プログラムは、管理装置において用いられる管理プログラムであって、コンピュータに、管理対象に関する計測を行なうセンサから計測結果を示すセンサ情報を取得するステップと、取得した前記センサ情報に基づいて作成される前記管理対象を管理するための管理情報の提示内容に関する前記ユーザの操作に基づく操作情報を取得するステップと、取得した前記操作情報を保存する処理を行うステップとを実行させるためのプログラムである。
【００２８】
これにより、保存された操作情報を確認することで、たとえば、提示される内容に関するユーザの要望、すなわちユーザが希望する内容を正確に把握することができる。その結果、ユーザによる管理情報の利用傾向などを把握し、把握した利用傾向などを管理システムへの改良などに用いることで、ユーザの要望に応じたより利便性の高い情報を管理情報として提供することができる。したがって、センサによる計測結果を収集し、収集した計測結果に基づいて管理対象を管理可能な管理システムにおいて、管理対象の管理のためのより有用な情報を取得することができる。
【００２９】
以下、本発明の実施の形態について図面を用いて説明する。なお、図中同一または相当部分には同一符号を付してその説明は繰り返さない。また、以下に記載する実施の形態の少なくとも一部を任意に組み合わせてもよい。
【００３０】
［構成および基本動作］
（管理システムの構成）
図１は、本発明の実施の形態に係る管理システムの構成を示す図である。
【００３１】
図１を参照して、管理システム３０１は、基地局１０１と、１または複数の通信子機１０２と、蓄積装置１１１と、管理装置１１２とを備える。
【００３２】
管理システム３０１は、たとえば事業者の工場および事務所に設置される。たとえば、管理システム３０１は、工場における産業材料１６２の温度および湿度などの管理を行なう。この例では、基地局１０１および通信子機１０２は工場に設けられ、蓄積装置１１１および管理装置１１２は事務所に設けられている。
【００３３】
通信子機１０２は、複数のセンサを有し、各センサは、管理対象たとえば工場に保管されている産業材料１６２に関する計測を行う。通信子機１０２は、自己の各センサによる計測結果を示すセンサ情報を含む無線信号を基地局１０１へ送信する。より詳細には、通信子機１０２の各センサは、工場におけるコンテナ１６１内に設けられ、コンテナ１６１内における産業材料１６２の温度および湿度などを計測する。
【００３４】
図１では、一例として、工場内に複数のコンテナ１６１が設けられ、通信子機１０２が対応のコンテナ１６１内に設置されている場合を示している。なお、通信子機１０２は、センサ情報を含む無線信号を基地局１０１へ送信する構成に限らず、複数の通信子機１０２の一部または全部がセンサ情報を基地局１０１へ有線伝送する構成であっても良い。
【００３５】
基地局１０１は、各通信子機１０２から無線信号を受信し、受信した無線信号に含まれるセンサ情報をイーサネット（登録商標）または無線ＬＡＮ（Ｌｏｃａｌ  Ａｒｅａ  Ｎｅｔｗｏｒｋ）などのネットワーク１７１経由で管理装置１１２へ送信する。たとえば、基地局１０１は、センサ情報にタイムスタンプなどの時刻情報、および無線通信品質（ＬＱＩ：Ｌｉｎｋ  Ｑｕｌｉｔｙ  Ｉｎｄｉｃａｔｉｏｎ）などを付加して管理装置１１２へ送信する。ここで、ＬＱＩは、たとえば値が大きいほど良好な品質であることを示す。なお、管理システム３０１には、複数の基地局１０１が設けられていても良い。
【００３６】
管理装置１１２は、たとえばサーバまたはＰＣ（Ｐｅｒｓｏｎａｌ  Ｃｏｍｐｕｔｅｒ）であり、基地局１０１から送信されたセンサ情報を受信し、受信したセンサ情報に基づいて、管理対象である産業材料１６２を管理するための管理情報を作成する。
【００３７】
なお、管理情報は、センサ情報に対して何らかの演算などが行われたデータであってもよいし、センサ情報の一部または全部と同じ内容のデータであってもよい。さらに、管理情報には、センサ情報とは異なる種類の情報が含まれていても良い。
【００３８】
また、管理装置１１２は、作成した管理情報の一部または全部を、たとえば自己の画面に表示する。ユーザは、画面に表示される内容に関する操作を行うことが可能であり、管理装置１１２は、ユーザによる操作に基づく操作情報を取得する。そして、管理装置１１２は、取得した操作情報を保存する処理として、たとえば当該操作情報を蓄積装置１１１へ送信する。
【００３９】
蓄積装置１１１は、管理装置１１２から受信した操作情報を蓄積する。たとえば、操作情報は、データベース化されて蓄積装置１１１に蓄積される。蓄積装置１１１に蓄積される操作情報は、たとえば、管理システム３０１のメンテナンス時に管理者によってまとめて取得される。なお、蓄積装置１１１は、管理装置１１２の一部であっても良い。
【００４０】
また、基地局１０１は、事務所に設置された管理装置１１２の代わりに、たとえば、ＩＥＥＥ８０２．１１規格などに従い、タブレットなどの携帯端末にセンサ情報を送信しても良い。このような場合、当該携帯端末は、基地局１０１から受信したセンサ情報に基づいて管理情報を作成し、作成した管理情報を自己の画面に表示することができる。
【００４１】
また、当該携帯端末は、たとえば、ユーザによる操作を受け付け、当該操作を示す操作情報を作成し、作成した操作情報を携帯電話回線などを用いて管理装置１１２経由で蓄積装置１１１へ送信しても良い。更に、当該携帯端末が、作成した操作情報を蓄積装置１１１へ直接送信しても良い。
【００４２】
（通信子機の構成）
図２は、本発明の実施の形態に係る管理システムにおける通信子機の構成を示す図である。
【００４３】
図２を参照して、通信子機１０２は、アンテナ１１と、無線回路１２と、処理部１３と、複数のセンサ１４とを備える。処理部１３はたとえばＣＰＵ（Ｃｅｎｔｒａｌ  Ｐｒｏｃｅｓｓｉｎｇ  Ｕｎｉｔ）によって実現される。また、たとえば、無線回路１２および処理部１３は、１つの半導体集積回路１５に含まれる。
【００４４】
センサ１４は、たとえば、自己の周囲の温度または湿度を計測し、計測した温度または湿度を示すセンサ情報を、たとえばＩ２Ｃバス（登録商標）経由で処理部１３へ出力する。通信子機１０２に含まれる複数のセンサ１４は、たとえば、それぞれ異なる種類の計測を行う。具体的には、各センサ１４は、たとえば、気圧、加速度、角度、角速度、磁力、照度、電圧、電流、二酸化炭素濃度および一酸化炭素ガス濃度のうちのいずれかの種類の計測を行う。なお、通信子機１０２に含まれるセンサ１４は、１つであっても良い。
【００４５】
処理部１３は、各センサ１４から受けたセンサ情報を、たとえばＩＥＥＥ８０２．１５．４規格に従うフレームフォーマットのパケットに含めて無線回路１２へ出力する。また、処理部１３は、自己の通信子機１０２のＩＤ、電池電圧などの電池残量情報および無線通信品質などを当該パケットに含めて無線回路１２へ出力する。
【００４６】
無線回路１２は、処理部１３から受けたパケットを、たとえばＩＥＥＥ８０２．１５．４規格に従い、無線信号に変換してアンテナ１１から送信する。そして、基地局１０１が、アンテナ１１から送信された無線信号を受信し、受信した無線信号からセンサ情報を取得する受信処理を行う。そして、基地局１０１が、取得したセンサ情報を管理装置１１２へ送信する。
【００４７】
（管理装置の構成）
図３は、本発明の実施の形態に係る管理システムにおける管理装置の構成を示す図である。
【００４８】
図３を参照して、管理装置１１２は、受信部（取得部）２１と、情報作成部２２と、操作情報管理部２３と、提示部２４とを備える。
【００４９】
受信部２１は、基地局１０１から送信されたセンサ情報を受信し、受信したセンサ情報を情報作成部２２へ出力する。
【００５０】
情報作成部２２は、受信部２１から受けたセンサ情報に基づいて、たとえば、複数のセンサ１４によってそれぞれ計測されたセンサ情報を通信子機１０２ごとにまとめた管理情報を作成し、作成した管理情報を提示部２４へ出力する。管理情報に含まれる各センサ情報は、たとえば基地局１０１により付加された時刻情報に基づいて、時間的変化を示すようなグラフ化したデータにまとめられている。
【００５１】
操作情報管理部２３は、提示部２４により提示される画面の提示内容に関するユーザの操作を受け付け、当該操作を示す操作情報を作成する。そして、操作情報管理部２３は、作成した操作情報を提示部２４へ出力する。たとえば、操作情報管理部２３は、管理情報に含まれるセンサ情報の種類のうちユーザにより選択された種類を示す情報を操作情報として作成し、作成した操作情報を提示部２４へ出力する。また、操作情報管理部２３は、作成した操作情報を蓄積装置１１１へ送信する。
【００５２】
提示部２４は、操作情報管理部２３から受けた操作情報に基づいて、管理情報の一部または全部を画面に表示する。たとえば、提示部２４は、ユーザにより選択されたセンサ情報の種類を示す情報を操作情報として取得すると、情報作成部２２により作成された管理情報に含まれる複数種類のセンサ情報のうち操作情報の示す種類のセンサ情報を抽出し、抽出したセンサ情報を画面に表示する。
【００５３】
［動作］
次に、本発明の実施の形態に係る管理システムによる動作の流れについて図面を用いて説明する。
【００５４】
管理システム３０１における各装置は、コンピュータを備え、当該コンピュータにおけるＣＰＵ等の演算処理部は、以下のシーケンスの各ステップの一部または全部を含むプログラムを図示しないメモリから読み出して実行する。これら複数の装置のプログラムは、それぞれ、外部からインストールすることができる。これら複数の装置のプログラムは、それぞれ、記録媒体に格納された状態で流通する。
【００５５】
図４は、本発明の実施の形態に係る管理システムによる動作の流れを示すシーケンス図である。ここでは、管理システム３０１において２つの通信子機１０２Ａ，１０２Ｂおよび１つの基地局１０１が設けられる場合を示している。
【００５６】
図４を参照して、まず、通信子機１０２Ａの各センサ１４は、たとえば所定の計測タイミングにおいて、管理対象に関する計測を行なう（ステップＳ１１）。
【００５７】
次に、通信子機１０２Ａは、各センサ１４による計測結果を示すセンサ情報を作成し（ステップＳ１２）、作成した各センサ情報を無線信号に含めて基地局１０１へ送信する（ステップＳ１３）。
【００５８】
次に、基地局１０１は、通信子機１０２Ａから送信された無線信号を受信し、受信した無線信号から各センサ情報を取得する受信処理を行なう（ステップＳ１４）。そして、基地局１０１は、取得した各センサ情報を管理装置１１２へ送信する（ステップＳ１５）。
【００５９】
次に、通信子機１０２Ｂにおいても同様に、通信子機１０２Ｂの各センサ１４は、たとえば所定の計測タイミングにおいて、管理対象に関する計測を行なう（ステップＳ１６）。
【００６０】
そして、通信子機１０２Ｂは、各センサ１４による計測結果を示すセンサ情報を作成し（ステップＳ１７）、作成した各センサ情報を無線信号に含めて基地局１０１へ送信する（ステップＳ１８）。
【００６１】
次に、基地局１０１は、通信子機１０２Ｂから送信された無線信号を受信し、受信した無線信号から各センサ情報を取得する受信処理を行なう（ステップＳ１９）。そして、基地局１０１は、取得した各センサ情報を管理装置１１２へ送信する（ステップＳ２０）。
【００６２】
なお、通信子機１０２Ａ，１０２Ｂは、自己に含まれる複数のセンサ１４のうちのいずれかのセンサ１４が計測を１回行なうたびにセンサ情報を送信しても良いし、いずれかのセンサ１４の複数回分の計測結果または複数のセンサ１４の計測結果をまとめてセンサ情報として送信しても良い。
【００６３】
次に、管理装置１１２は、取得した１または複数のセンサ情報に基づいて管理情報を作成する（ステップＳ２１）。
【００６４】
次に、管理装置１１２は、ユーザによる操作を受け付けると、当該操作を示す操作情報を作成し（ステップＳ２２）、作成した操作情報を蓄積装置１１１へ送信する（ステップＳ２３）。そして、蓄積装置１１１は、管理装置１１２から受信した操作情報を蓄積する（ステップＳ２４）。
【００６５】
次に、管理装置１１２は、作成した操作情報に応じて、管理情報の一部または全部を画面に表示する（ステップＳ２５）。
【００６６】
次に、管理装置１１２は、ユーザによる新たな操作を受け付けると、当該操作を示す操作情報を新たに作成し（ステップＳ２６）、作成した操作情報を蓄積装置１１１へ送信する（ステップＳ２７）。そして、蓄積装置１１１は、管理装置１１２から新たに受信した操作情報を蓄積する（ステップＳ２８）。
【００６７】
次に、管理装置１１２は、新たに作成した操作情報に応じて、管理情報の一部または全部を画面に表示する（ステップＳ２９）。
【００６８】
（蓄積装置に蓄積される操作情報の例（その１））
次に、蓄積装置１１１に蓄積される操作情報の具体例について説明する。図５は、本発明の実施の形態に係る管理システムにおける蓄積装置に蓄積される操作情報の一例（その１）を説明するための図である。
【００６９】
ここでは、管理システム３０１において、通信子機１０２Ａ，１０２Ｂ，１０２Ｃ，１０２Ｄが設けられ、通信子機１０２Ａ，１０２Ｂ，１０２Ｃ，１０２Ｄにはそれぞれ、互いに異なる種類の計測を行う複数のセンサ１４が含まれていることとする。
【００７０】
また、ユーザが、たとえば通信子機１０２Ａが設置されているコンテナ１６１における温度および湿度を確認するために、通信子機１０２Ａ，１０２Ｂ，１０２Ｃ，１０２Ｄのうち通信子機１０２Ａを選択し、更に、通信子機１０２Ａのセンサ１４により計測されるセンサ情報の種類のうち「温度」および「湿度」を選択したとする。すなわち、ユーザが、通信子機１０２ＡのＩＤ（Ｉｄｅｎｔｉｆｉｃａｔｉｏｎ）と、「温度」および「湿度」を示す情報とを管理装置１１２に入力する操作を行ったとする。
【００７１】
この場合、管理装置１１２において、操作情報管理部２３は、ユーザにより行われた操作を示す操作情報を作成し、提示部２４は、図５に示すような画面を表示する。すなわち、提示部２４は、通信子機１０２Ａが設置されているコンテナ１６１における現在の温度および湿度、横軸を時間とした当該コンテナ１６１における所定時間前から現在までの温度の時間的変化を示すグラフ、ならびに、横軸を時間とした当該コンテナ１６１における所定時間前から現在までの湿度の時間的変化を示すグラフなどを画面に表示する。
【００７２】
なお、提示部２４は、たとえば、ＧＵＩ（Ｇｒａｐｈｉｃａｌ  Ｕｓｅｒ  Ｉｎｔｅｒｆａｃｅ）を用いた画面を表示し、通信子機１０２のＩＤを選択するためのボタン、および、センサ情報の種類を選択するためのボタンなどが画面に表示される。このため、ユーザは、画面に表示されるボタンをマウスなどを用いて選択することで、通信子機１０２のＩＤおよびセンサ情報の種類の入力を行うことができる。
【００７３】
操作情報管理部２３は、ユーザによる操作を示す操作情報、具体的には、通信子機１０２ＡのＩＤと「温度」および「湿度」を示す情報とを蓄積装置１１１へ送信する。これにより、蓄積装置１１１には、操作情報として、通信子機１０２ＡのＩＤと、センサ情報の種類である「温度」および「湿度」を示す情報とが蓄積される。
【００７４】
なお、管理システム３０１に１つの通信子機１０２が設けられる場合には、センサ情報の種類のみが蓄積装置１１１に蓄積されても良い。また、蓄積装置１１１には、センサ情報の種類ごとに、ユーザにより選択された合計回数などが蓄積されても良い。
【００７５】
（蓄積装置に蓄積される操作情報の例（その２））
図６は、本発明の実施の形態に係る管理システムにおける蓄積装置に蓄積される操作情報の一例（その２）を説明するための図である。
【００７６】
ユーザは、たとえば、画面に表示されるセンサ情報に関する設定を行う。具体的には、たとえば、ユーザが、通信子機１０２Ａが設置されているコンテナ１６１における温度を確認するために、通信子機１０２ＡのＩＤと「温度」を示す情報とを管理装置１１２に入力し、更に、当該コンテナ１６１における温度の上限値Ｔｈ１および下限値Ｔｈ２の設定を行うために、温度の上限値Ｔｈ１および下限値Ｔｈ２を管理装置１１２に入力したとする。
【００７７】
この場合、管理装置１１２において、操作情報管理部２３は、入力された通信子機１０２ＡのＩＤおよびセンサ情報の種類である「温度」を示す情報と、設定の内容を示す情報、すなわち温度の上限値Ｔｈ１および下限値Ｔｈ２とを取得する。また、提示部２４は、図６に示すような画面を表示する。
【００７８】
すなわち、提示部２４は、通信子機１０２Ａが設置されているコンテナ１６１における現在の温度、および、横軸を時間とした当該コンテナ１６１における所定時間前から現在までの温度の時間的変化と、ユーザにより設定された温度の上限値Ｔｈ１および下限値Ｔｈ２とを示すグラフを画面に表示する。
【００７９】
操作情報管理部２３は、ユーザによる操作を示す操作情報、具体的には、通信子機１０２ＡのＩＤと、「温度」を示す情報と、温度の上限値Ｔｈ１および下限値Ｔｈ２とを蓄積装置１１１へ送信する。これにより、蓄積装置１１１には、操作情報として、通信子機１０２ＡのＩＤと、センサ情報の種類である「温度」を示す情報と、温度の上限値Ｔｈ１および下限値Ｔｈ２とが蓄積される。
【００８０】
（蓄積装置に蓄積される操作情報の例（その３））
図７は、本発明の実施の形態に係る管理システムにおける蓄積装置に蓄積される操作情報の一例（その３）を説明するための図である。
【００８１】
情報作成部２２により作成される管理情報には、たとえば、センサ情報に加えて、更に、管理対象に関する情報であってセンサ情報の各種類とは異なる種類の情報である管理対象情報が含まれる。管理対象情報の種類には、たとえば、管理対象の生産量、または、歩留まりなどが含まれる。
【００８２】
そして、ユーザが、たとえば通信子機１０２Ａが設けられているコンテナ１６１における温度および湿度と、管理対象の歩留まりとを並行して確認するために、通信子機１０２ＡのＩＤと、「温度」および「湿度」を示す情報と、管理対象情報の種類である「歩留まり」を示す情報とを管理装置１１２に入力したとする。
【００８３】
この場合、管理装置１１２において、操作情報管理部２３は、入力された通信子機１０２ＡのＩＤと、センサ情報の種類である「温度」および「湿度」を示す情報と、管理対象情報の種類である「歩留まり」を示す情報とを取得する。また、提示部２４は、図７に示すような画面を表示する。
【００８４】
すなわち、提示部２４は、たとえば、通信子機１０２Ａが設置されているコンテナ１６１における現在の温度および湿度、横軸を時間とした当該コンテナ１６１における所定時間前から現在までの温度の時間的変化を示すグラフ、横軸を時間とした当該コンテナ１６１における所定時間前から現在までの湿度の時間的変化を示すグラフ、ならびに、横軸を時間とした所定時間前から現在までの管理対象の生産量の時間的変化を示すグラフを画面に表示する。
【００８５】
操作情報管理部２３は、ユーザによる操作を示す操作情報、具体的には、通信子機１０２ＡのＩＤと、「温度」および「湿度」を示す情報と、「歩留まり」を示す情報とを蓄積装置１１１へ送信する。これにより、蓄積装置１１１には、操作情報として、通信子機１０２ＡのＩＤと、センサ情報の種類である「温度」および「湿度」を示す情報と、管理対象情報の種類である「管理対象の生産量」を示す情報とが蓄積される。
【００８６】
［変形例］
なお、管理装置１１２は、新たに作成した操作情報に加えて、さらに、蓄積装置１１１に蓄積されている操作情報に基づく管理情報の一部または全部を提示する構成であっても良い。
【００８７】
図８は、本発明の実施の形態に係る管理システムの変形例における管理装置の構成を示す図である。
【００８８】
図８を参照して、本発明の実施の形態に係る管理システムの変形例における管理装置は、図３に示す管理装置１１２と同様に、受信部２１と、情報作成部２２と、操作情報管理部２３と、提示部２４とを備える。ここでは、上述した実施の形態と異なる点について主に説明する。
【００８９】
提示部２４は、操作情報管理部２３により新たに作成された操作情報を受けると、蓄積装置１１１に蓄積されている操作情報を参照する。そして、提示部２４は、操作情報管理部２３から受けた操作情報と、蓄積装置１１１に蓄積されている操作情報とに基づいて、情報作成部２２により作成された管理情報に対して情報の追加または表示の変更などの編集を行い、編集後の管理情報を画面に表示する。
【００９０】
たとえば、提示部２４は、新たに作成された操作情報として、通信子機１０２ＡのＩＤと、センサ情報の種類である「温度」を示す情報とを操作情報管理部２３から受けたとする。この場合、提示部２４は、蓄積装置１１１に蓄積されている操作情報を参照して、通信子機１０２ＡのＩＤと「温度」とを示す他の操作情報が蓄積装置１１１に蓄積されているか否かを確認する。
【００９１】
そして、たとえば、通信子機１０２ＡのＩＤと、「温度」を示す情報と、温度の上限値Ｔｈ１および下限値Ｔｈ２とを含む操作情報が、蓄積装置１１１に蓄積されていたとする。この場合、提示部２４は、操作情報管理部２３により新たに作成された操作情報には温度の上限値および下限値は含まれていないものの、ユーザによる管理情報の利用傾向として、通信子機１０２Ａのセンサ１４により計測された温度に対して上限値Ｔｈ１および下限値Ｔｈ２を設定する傾向があることを把握することができる。
【００９２】
このため、提示部２４は、たとえば、情報作成部２２により作成された管理情報から通信子機１０２Ａのセンサ１４により計測された温度のセンサ情報を抽出し、さらに、抽出したセンサ情報に対して温度の上限値Ｔｈ１および下限値Ｔｈ２を加えたグラフを画面に表示する。
【００９３】
図９は、本発明の実施の形態に係る管理システムの変形例による動作の流れを示すシーケンス図である。
【００９４】
図９を参照して、図９に示すステップＳ３１からステップＳ４４までの動作は、図４に示すステップＳ１１からステップＳ２４までの動作と同様であるため、ここでの詳細な説明は繰り返さない。
【００９５】
次に、管理装置１１２は、蓄積装置１１１に蓄積されている操作情報を参照する（ステップＳ４５）。そして、管理装置１１２は、ステップＳ４２において作成した操作情報と蓄積装置１１１に蓄積されている操作情報とに基づいて、管理情報の編集などを行い、編集後の管理情報を画面に表示する（ステップＳ４６）。
【００９６】
次に、管理装置１１２は、ユーザによる新たな操作を受け付けると、当該操作を示す操作情報を新たに作成し（ステップＳ４７）、作成した操作情報を蓄積装置１１１へ送信する（ステップＳ４８）。そして、蓄積装置１１１は、管理装置１１２から新たに受信した操作情報を蓄積する（ステップＳ４９）。
【００９７】
次に、管理装置１１２は、蓄積装置１１１に蓄積されている操作情報を再び参照する（ステップＳ５０）。そして、管理装置１１２は、ステップＳ４７において新たに作成した操作情報と蓄積装置１１１に蓄積されている操作情報とに基づいて、管理情報の編集などを行い、編集後の管理情報を画面に表示する（ステップＳ５１）。
【００９８】
なお、提示部２４は、蓄積装置１１１に蓄積されている操作情報に基づく管理情報の一部または全部を表示する構成であれば、上記のような構成に限定されない。たとえば、ユーザによる管理情報の利用傾向として、ユーザが「温度」および「湿度」を頻繁に確認していることが、蓄積装置１１１に蓄積されている操作情報から把握できたとする。この場合、管理システム３０１の管理者が、管理装置１１２のファームウェア等を変更することにより、管理情報である「温度」のセンサ情報および「湿度」のセンサ情報をより見やすくするような画面を提示部２４に表示させるようにしても良い。
【００９９】
その他の構成および動作は上述した実施の形態に係る管理システム３０１と同様であるため、ここでは詳細な説明を繰り返さない。
【０１００】
ところで、管理対象に関する計測結果を無線伝送することが可能な１または複数の通信子機を設置し、センサによる計測結果を、通信子機を介して基地局において収集し、収集した計測結果に基づいて管理対象を管理する管理システムにおいて、管理対象の管理のためのより有用な情報を取得可能とする技術が望まれる。
【０１０１】
これに対して、本発明の実施の形態に係る管理装置１１２では、受信部２１が、管理対象に関する計測を行なうセンサ１４から計測結果を示すセンサ情報を受信する。また、提示部２４が、受信部２１により受信されたセンサ情報に基づいて作成される管理対象を管理するための管理情報の一部または全部を提示する。また、操作情報管理部２３が、提示部２４により提示される管理情報の内容に関するユーザの操作に基づく操作情報を取得し、取得した操作情報を保存する処理を行う。
【０１０２】
このような構成により、保存された操作情報を確認することで、たとえば、提示される内容に関するユーザの要望、すなわちユーザが希望する内容を正確に把握することができる。その結果、ユーザによる管理情報の利用傾向などを把握し、把握した利用傾向などを管理システム３０１への改良などに用いることで、ユーザの要望に応じたより利便性の高い情報を管理情報として提供することができる。したがって、センサ１４による計測結果を収集し、収集した計測結果に基づいて管理対象を管理可能な管理システム３０１において、管理対象の管理のためのより有用な情報を取得することができる。
【０１０３】
また、本発明の実施の形態に係る管理装置１１２では、受信部２１は、複数種類のセンサ情報を受信する。また、提示部２４は、複数のセンサ情報の種類の中から１または複数の種類が選択されると、選択された種類のセンサ情報を提示する。また、操作情報管理部２３は、選択された種類を示す情報を操作情報として取得する。
【０１０４】
このような構成により、保存された操作情報を確認することで、ユーザが高い頻度で提示を要求しているセンサ情報の種類を把握することができるため、当該種類に特化した見やすい表示で提示を行うなど、ユーザにとって一層利便性の高い情報を提供することができる。
【０１０５】
また、本発明の実施の形態に係る管理装置１１２では、提示部２４は、センサ情報に関する設定が行われると、管理情報として、センサ情報および当該設定の内容を提示する。また、操作情報管理部２３は、設定が行われたセンサ情報の種類および当該設定の内容を示す情報を操作情報として取得する。
【０１０６】
このような構成により、保存された操作情報を確認することで、ユーザによって以前設定されて提示された内容を把握し、たとえば、当該内容を再び設定して提示することができる。
【０１０７】
また、本発明の実施の形態に係る管理装置１１２では、受信部２１は、複数種類のセンサ情報を受信する。また、提示部２４は、複数のセンサ情報の種類の中から選択された種類のセンサ情報と、管理対象に関する情報であってセンサ情報の各種類とは異なる種類の情報である複数種類の管理対象情報、の中から選択された種類の管理対象情報とを並行して提示可能である。また、操作情報管理部２３は、提示部２４により並行して提示されるセンサ情報の種類および管理対象情報の種類を操作情報として取得する。
【０１０８】
このような構成により、保存された操作情報を確認することで、ユーザが並行して提示されることを希望している異なる種類の情報の組合せを把握することができるため、たとえば、これらの情報の相関を解析してユーザに提示するなど、ユーザにとって一層利便性の高い情報を提供することができる。
【０１０９】
また、本発明の実施の形態に係る管理装置１１２では、提示部２４は、操作情報管理部２３により保存された操作情報に基づく管理情報の一部または全部を提示する。
【０１１０】
このような構成により、新たに取得された操作情報に加えて、さらに、保存されている操作情報すなわちユーザによる過去の管理情報の利用傾向などを示す情報に基づいた内容の管理情報を提示することができるため、ユーザによる管理情報の利用傾向などに一層適合した情報を提供することができる。
【０１１１】
なお、本発明の実施の形態に係る管理システム３０１は、通信子機１０２ごとに管理対象である産業材料１６２が存在する工場に用いられるとしたが、これに限定するものではない。管理システム３０１は、たとえば、１つの管理対象の複数の箇所または複数の測定項目などを複数のセンサ２０２によってそれぞれ計測する用途に用いられてもよい。
【０１１２】
上記実施の形態は、すべての点で例示であって制限的なものではないと考えられるべきである。本発明の範囲は、上記説明ではなく特許請求の範囲によって示され、特許請求の範囲と均等の意味および範囲内でのすべての変更が含まれることが意図される。
【０１１３】
以上の説明は、以下に付記する特徴を含む。
【０１１４】
［付記１］
管理対象に関する計測を行なうセンサから計測結果を示すセンサ情報を取得する取得部と、
前記取得部により取得された前記センサ情報に基づいて作成される前記管理対象を管理するための管理情報の一部または全部を提示する提示部と、
前記提示部により提示される前記管理情報の内容に関するユーザの操作に基づく操作情報を取得し、取得した前記操作情報を保存する処理を行う操作情報管理部とを備え、
前記操作情報管理部は、前記ユーザの操作を受け付け、受け付けた前記操作を示す前記操作情報を作成し、作成した前記操作情報を蓄積装置へ送信する、管理装置。
【符号の説明】
【０１１５】
１１  アンテナ
１２  無線回路
１３  処理部
１４  センサ
１５  半導体集積回路
２１  受信部（取得部）
２２  情報作成部
２３  操作情報管理部
２４  提示部
１０１  基地局
１０２，１０２Ａ，１０２Ｂ，１０２Ｃ，１０２Ｄ  通信子機
１１１  蓄積装置
１１２  管理装置
３０１  管理システム
【図１】
2015219734.tif 000003
【図２】
2015219734.tif 000004
【図３】
2015219734.tif 000005
【図４】
2015219734.tif 000006
【図５】
2015219734.tif 000007
【図６】
2015219734.tif 000008
【図７】
2015219734.tif 000009
【図８】
2015219734.tif 000010
【図９】
2015219734.tif 000011